(57)【要約】【課題】表面全体に宝石を石留しかつ微細なサイズ直しが可能でありかつ種々異なる使用方法が可能である装身具用リングを提供すること。【解決手段】２のリング部材とそれを連結する連結部材とからなり、リング部材の両端に略中央に通孔を形成した連結板を突設すると共に、連結部材は連結板が挿入可能な断面略コの字状のカバー体であることで、連結部材とリング部材が微細な上下動可能に連結される装身具用リング。【選択図】      図１
0003140505.tif 000002
【実用新案登録請求の範囲】
【請求項１】
２のリング部材と、該リング部材を連結する連結部材とからなるリング本体において、該リング部材は互いに異なる色相を有することを特徴とする装身具用リング。
【請求項２】
前記リング部材の両端には、略中央に通孔を形成した連結板を突設すると共に、前記連結部材は、該連結板が挿入可能な断面略コの字状のカバー体からなり、該カバー体の両側部略中央には軸孔を形成し、前記連結板の通孔と前記連結部材の軸孔を合致した状態で止め軸を挿通し、前記連結部材は前記リング部材を上下動可能に連結することを特徴とする請求項１に記載の装身具用リング。
【請求項３】
前記リング部材の異なる色相は、該リング部材にそれぞれ異なる色相の宝石を石留めして具現されることを特徴とする請求項１から請求項２に記載の装身具用リング。
【考案の詳細な説明】
【技術分野】
【０００１】
本考案は、表面全体に宝石を石留した装身具用リングでありながら、サイズ直しが可能である装身具用リングに関する。また、本考案は、異なる色相を有するため、一本で種々異なる使用方法が可能である装身具用リングに関する。
【背景技術】
【０００２】
従来から、エタニティリング（永遠のリング）と呼ばれるような、リング本体の表面全体に複数個の宝石１０２を直列に並べられた石座１０４に取り付けるデザインの装身具用リング１００が開発されている。この装身具用リング１００は、全体に宝石１０２が石留されてしまうため、全体寸法であるリングサイズが特定されてしまう。したがって、このようなエタニティリングは、それを着用者の手指を一つ一つ正確に計測し、その寸法に応じた製造が必要となるばかりか、一旦製造されたエタニティリングのサイズ直しは不可能となる。しかし、一方では、その着用者の為に特別に製造された世界に一つしかない貴重品であるから、永遠の愛を表現する装身具用リング１００として好評を博していた。
【０００３】
しかし、人間の手指のサイズは年齢や体調と共に若干変化するものであるから、購入後のエタニティリングについても僅かなサイズ直しが必要となる場合があり、着用者がより快適にエタニティリングを着用するためには微細なサイズ変化に対応できることが好ましい。しかしながら、装身具用リング１００にはそのような技術的工夫は全くされていなかった。
【０００４】
さらには、従来のエタニティリングを製造、販売する者にとっても、着用者の要求に応じるためには予め全てのサイズに対応した装身具用リング１００を在庫しておくか、一つ一つの装身具用リング１００をその度に製造する必要性があり、高価な貴金属と宝石１０２を使用する装身具用リング１００にあってはその金額的負担やその製造に費やす労力は大変なものがあった。
【考案の開示】
【考案が解決しようとする課題】
【０００５】
本考案は、主として、エタニティリングに代表されるデザインの装身具用リングにおいて、リング本体をリング部材と連結部材により構成して、微細なサイズの変化に柔軟に対応できるばかりか、それぞれのリング部材を異なる色合いやデザインとして構成することで、種々異なる使用方法により種々異なるファッションを楽しむことができる装身具用リングを提供することを目的とする。
【課題を解決するための手段】
【０００６】
上記の目的を達成するために、請求項１に係る考案は、２のリング部材と、該リング部材を連結する連結部材とからなるリング本体において、該リング部材は互いに異なる色相を有する装身具用リングであることを特徴とする。また、請求項２に係る考案は、請求項１に記載の装身具用リングにおいて、前記リング部材の両端には、略中央に通孔を形成した連結板を突設すると共に、前記連結部材は、該連結板が挿入可能な断面略コの字状のカバー体からなり、該カバー体の両側部略中央には軸孔を形成し、前記連結板の通孔と前記連結部材の軸孔を合致した状態で止め軸を挿通し、前記連結部材は前記リング部材を上下動可能に連結することを特徴とする。
【０００７】
さらに、請求項３に係る考案は、請求項１から請求項２に記載の装身具用リングにおいて、前記リング部材の異なる色相は、該リング部材にそれぞれ異なる色相の宝石を石留めして具現されることを特徴とする。
【考案の効果】
【０００８】
本考案に係る装身具用リングによれば、一つの装身具用リングにより同一着用者の微妙に変化するリングサイズに対応することができるばかりか、それを製造、販売する者にとっても、少ないリングサイズのバリエーション在庫で対応でき、一つ一つリングを手作りする必要がない。また、着用者にとっても、その着用方法を工夫することにより、一つの装身具用リングで異なる色合いやデザインを楽しむことができる。
【考案を実施するための最良の形態】
【０００９】
以下、本考案に係る装身具用リングの好ましい実施形態を図面に用いて詳細に説明する。図１において、（ａ）は、第１装身具用リングを示す斜視図、（ｂ）はその連結部分を示す側面図、（ｃ）は、その連結部分を示す底面図である。図２において、（ａ）は、第１装身具用リングの第１着用方法を示す平面図、（ｂ）は、その第２着用方法を示す平面図、（ｃ）は、その第３着用方法を示す平面図である。
【００１０】
第１装身具用リング１０は、例えば、プラチナ、金、銀等の貴金属や、またはその他の金属に金メッキや銀メッキ加工を施したもの、あるいは樹脂を素材とし、その製法は、例えば、ロストワックスキャスティング、プレス切断加工、ダイキャスト等により製造される。
【００１１】
第１装身具用リング１０におけるリング部材１２は、例えば、筒状をなす石座１４を直列状に形成し、石座１４の上穴にそれぞれ宝石１６を石留めしたデザインからなる第１リング部材１２Ａと、両側に立て板１８を取り付けた角柱２０の中央に直列状に石座を形成し、石座の上穴と立て板によりそれぞれ宝石２２を石留めしたデザインからなる第２リング部材１２Ｂから構成される。
【００１２】
そして、第１リング部材１２Ａと第２リング部材１２Ｂの両端には、リング部材１２に対し縦方向に突設する偏平な山形状の板体で、板体の略中央にはそれぞれ連結孔２４を有する連結板２６が形成されている。
【００１３】
また、連結部材２８は、例えば、断面形状が下方向に開くような略コの字状のカバー体であって、略コの字の中央となる縦方向の切り欠き部３２は、リング部材１２の連結板２６を挿入することができ、かつ両方向から連結板２６を挿入した状態においてリング部材１２は連結部材２８に対し微細な上下動が可能であるような寸法を有している。
【００１４】
さらに、連結部材２８の略中央には両側方向に２の挿通孔３４が開口されており、リング部材１２の連結板２６を連結部材２８の切り欠き部３２に挿入した後、挿通孔３４の位置を連結孔２４の位置と一致させた状態で止め軸３６を挿通し、逆側の突出した先端部分を溶着すれば、第１リング部材１２Ａと第２リング部材１２Ｂは連結部材２８を介して連結され、第１装身具用リング１０が完成される。
【００１５】
このような第１装身具用リング１０は、２の連結部材２８を介し、微細な上下動を可能とするように２のリング部材１２は連結されている。したがって、ある程度両者の連結角度が変わることにより（ある程度折れ曲がることにより）、同一着用者の微妙に変化する手指サイズにもフレキシブルな対応をすることができる。
【００１６】
また、第１装身具用リング１０は、異なるデザインの２のリング部材１２Ａ及び１２Ｂから構成されているので、従来の装身具用リングとは異なる種々の着用方法も可能となる。
【００１７】
すなわち、第１リング部材１２Ａを前面として着用すれば、いわゆる覆輪留めによる宝飾指輪としてのデザイン外観を呈することができ、第２リング部材１２Ｂを前面として着用すれば、いわゆるレール留めによる宝飾指輪としてのデザイン外観を呈することができ、第１リング部材１２Ａと第２リング部材１２Ｂを半々ずつ前面に位置させて使用すれば、２の異なるファッションを有する宝飾指輪としてのデザイン外観を呈することができる。
【００１８】
そして、一般的に装身具用リングを異なる位置で着用できるような場合には、着用中に回転し易く、手指に対する位置がズレルという問題が生じ易いが、第１装身具用リング１０においては、２のリング部材１２の中間にある２の連結部材２８がその連結角度が変わることにより（ある程度折れ曲がることにより）、必要に応じて指肉に接触し、着用中の回転防止を図ることもできる。
【００１９】
次に、本考案に係る装身具用リングの好ましい製造方法を説明する。図３において、（ａ）は、第１装身具用リングに使用可能な連結部材のバリエーションを示す斜視図、（ｂ）は、同様に使用可能なリング部材のバリエーションを示す斜視図、（ｃ）及び（ｄ）は、その使用方法のバリエーションを示す斜視図である。
【００２０】
第１装身具用リング１０の製造は、一つ一つを手作りするのではなく、通常のロストワックスキャスティングによりワックス原型金型を製造する。その際に、既製服等と同様の考えにより、例えば、大、小の長さからなる２の連結部材２８Ａ、２８Ｂ及び第１、第２リング部材１２Ａ、１２Ｂを製造する。
【００２１】
この場合、ワックス素材には弾力があり加熱することで折り曲げることが可能であるから、使用するいずれかの連結部材を決定し、さらにリング部材１２Ａ、１２Ｂの湾曲角度を調整した後、全ての部材をキャスティングにより鋳造する。
【００２２】
そして、金属素材となった２のリング部材１２Ａ、１２Ｂをいずれか選択された２の連結部材２８Ａ、２８Ｂにより連結すれば、相当程度まで最終的なリングサイズに調整することができる。
【００２３】
したがって、第１装身具用リング１０においては、代表的なサイズ寸法によるいくつかのリング部材と、異なる長さの連結部材を準備しておけば、リング本体の表面全体に複数個の宝石を直列に取り付けるというエタニティタイプの装身具用リングについて、ほぼ全てのサイズに適用可能となるので、製造、販売する者にとっても、多量の在庫による金額的負担やその製造に費やす労力を軽減することができる。
【００２４】
また、第１装身具用リング１０においては、購入後に着用者の指サイズの変化が生じ、微細なサイズ修正が必要となった場合にも、リング部材１２Ａ、１２Ｂの湾曲角度をわずかに修正し、異なる長さの連結部材２８Ａ、２８Ｂに交換すれば足りる。よって、エタニティタイプの装身具用リングを作り直す不要はなく、真の意味でのエタニティリング（永遠のリング）を提供できる。
【００２５】
図４は、第２装身具用リングを示す斜視図である。
【００２６】
第２装身具用リング４０に使用できる素材、その製造方法は、第１装身具用リング１０と全く同様であるが、第１リング部材４８ＡをＫ１８やＫ１４というイエローゴールドにより製造し、第２リング部材４８ＢをＷＧＫ１８やＷＧＫ１４というホワイトゴールドにより製造したものである。
【００２７】
第２装身具用リング４０の着用方法においては、第１リング部材４８Ａを前面に使用すれば、ゴールドカラーの装身具用リングとしてのデザイン外観を呈することができ、第２リング部材４８Ｂを前面に使用すれば、シルバーカラーの装身具用リングとしてのデザイン外観を呈することができる。さらに、第１リング部材４８Ａと、第２リング部材４８Ｂを半々ずつ前面に位置させて使用すれば、ツートンカラーのファッションリングとしてのデザイン外観を呈することができる。
【００２８】
以上、上記の実施例では本考案が極めて有利に適用される場合を説明したが、本考案では連結部材の形状に特に限定があるわけではなく、例えば、２のリング部材を２の鎖状の連結部材により連結することもできる。
【００２９】
その他、例えば、第１リング部材には無色透明石であるダイアモンドを取り付け、第２リング部材には赤色透明石であるルビーを取り付ける等、本考案の技術的思想を具現化する構造の装身具用リングであって、デザインや素材だけの違いであれば、本考案の範疇に含まれるのは当然である。
【図面の簡単な説明】
【００３０】
【図１】（ａ）は、第１装身具用リングを示す斜視図、（ｂ）はその連結部分を示す側面図、（ｃ）は、その連結部分を示す底面図である。
【図２】（ａ）は、第１装身具用リングの第１着用方法を示す平面図、（ｂ）は、その第２着用方法を示す平面図、（ｃ）は、その第３着用方法を示す平面図である。
【図３】（ａ）は、第１装身具用リングに使用可能な連結部材のバリエーションを示す斜視図、（ｂ）は、同様に使用可能なリング部材のバリエーションを示す斜視図、（ｃ）及び（ｄ）は、その使用方法のバリエーションを示す斜視図である。
【図４】第２装身具用リングを示す斜視図である。
【図５】従来のエタニティリングを示す斜視図である。
【符号の説明】
【００３１】
１０  第１装身具用リング
１２  リング部材
１２Ａ  第１リング部材
１２Ｂ  第２リング部材
１４  石座
１６  宝石
２４  連結孔
２６  連結板
２６  連結部材
２８Ａ  連結部材
２８Ｂ  連結部材
３２  切り欠き部
３４  挿通孔
３６  止め軸
４０  第２装身具用リング
４８Ａ  第１リング部材
４８Ｂ  第２リング部材
５４  連結孔
５６  連結板
５８  連結部材
１０２  宝石
１００  装身具用リング
１０４  石座
【図１】
0003140505.tif 000003
【図２】
0003140505.tif 000004
【図３】
0003140505.tif 000005
【図４】
0003140505.tif 000006
【図５】
0003140505.tif 000007